(57)【特許請求の範囲】
【請求項１】
変倍用の変倍レンズと、合焦状態を調節するフォーカスレンズと、を有し、前記変倍レンズの拡大率を変更するワイドアタッチメントレンズが着脱可能な光学系と、
前記変倍レンズの駆動を指示するために操作される操作部材と、
前記ワイドアタッチメントレンズが前記光学系に装着されているか否かを検知する検知手段と、
前記検知手段の検知結果、前記ワイドアタッチメントレンズが装着されている場合と、前記ワイドアタッチメントレンズが装着されていない場合とで、前記操作部材の位置に対応する前記変倍レンズの位置を異ならせるように制御する制御手段と、
を備え、
前記制御手段は、前記ワイドアタッチメントレンズが装着されている場合には、前記フォーカスレンズが合焦状態を維持できるように、前記ワイドアタッチメントレンズが装着されていない場合よりも前記変倍レンズの駆動可能範囲が小さくなるようにするとともに、前記操作部材における一定の操作量あたりの前記変倍レンズの移動量が、前記ワイドアタッチメントレンズが装着されている場合のほうが前記ワイドアタッチメントレンズが装着されていない場合よりも小さくなるようにすることで前記操作部材の位置に対応する前記変倍レンズの位置を異ならせることを特徴とする撮像レンズ。
【請求項２】
前記変倍レンズの位置を検出する検出手段と、
前記変倍レンズを駆動する駆動手段と、
を更に有し、
前記制御手段は、前記ワイドアタッチメントレンズの着脱前の前記変倍レンズの駆動範囲に対する前記検出手段の検出結果から得られる前記変倍レンズの位置の比率が前記ワイドアタッチメントレンズの着脱後の前記変倍レンズの駆動範囲に対する前記変倍レンズの位置の比率と同じになるように、前記駆動手段を介して前記変倍レンズの位置を制御することを特徴とする請求項１に記載の撮像レンズ。
【請求項３】
前記操作部材の位置を検出する位置検出手段と、
前記変倍レンズを駆動する駆動手段と、
を更に有し、
前記制御手段は、前記操作部材の操作範囲に対する前記位置検出手段の検出結果から得られる前記操作部材の位置の比率で、前記変倍レンズの駆動範囲を内分した位置に、前記駆動手段を介して前記変倍レンズを移動するように制御することを特徴とする請求項１に記載の撮像レンズ。
【請求項４】
前記操作部材は、リング部材であって、
前記リング部材の位置を検出するリング位置検出手段と、
前記変倍レンズを駆動する駆動手段と、
を更に有し、
前記制御手段は、前記変倍レンズの初期位置を設定する際、前記リング部材の操作が有効である場合には、前記リング位置検出手段により検出された前記リング部材の位置に基づいて、前記駆動手段を介して前記変倍レンズを移動させ、前記リング部材の操作が無効である場合には、記憶されたバックアップ位置へ前記駆動手段を介して前記変倍レンズを移動させることを特徴とする請求項１に記載の撮像レンズ。
【請求項５】
前記変倍レンズの位置を検出する検出手段と、
前記変倍レンズを駆動する駆動手段と、
を更に有し、
前記制御手段は、前記変倍レンズの初期位置を設定する際、前記検出手段から得られる前記変倍レンズの現在の位置が合焦状態を維持できる望遠端側の位置よりも望遠端側にある場合、前記変倍レンズの合焦状態を維持できる望遠端側の位置に前記駆動手段を介して前記変倍レンズを移動するように制御することを特徴とする請求項１に記載の撮像レンズ。
【請求項６】
変倍用の変倍レンズと、合焦状態を調節するフォーカスレンズと、を有し、前記変倍レンズの拡大率を変更するワイドアタッチメントレンズが着脱可能な光学系と、
前記変倍レンズの駆動を指示するために操作される操作部材と、
前記ワイドアタッチメントレンズが前記光学系に装着されているか否かを検知する検知手段と、
前記検知手段による検知の結果、前記ワイドアタッチメントレンズが装着されている場合と、前記ワイドアタッチメントレンズが装着されていない場合とで、前記操作部材の位置に対応する前記変倍レンズの位置を異ならせるように制御する制御手段と、
を備え、
前記制御手段は、前記検知手段による検知の結果、前記ワイドアタッチメントレンズが装着されている場合には、前記フォーカスレンズが合焦状態を維持できるように、前記ワイドアタッチメントレンズが装着されていない場合よりも、前記変倍レンズの駆動可能範囲が小さくなるようにするとともに、前記操作部材における一定の操作量あたりの前記変倍レンズの移動量が小さくなるようにすることで前記操作部材の位置に対応する前記変倍レンズの位置を異ならせることを特徴とする撮像装置。
【請求項７】
前記変倍レンズの位置を検出する検出手段と、
前記変倍レンズを駆動する駆動手段と、
を更に有し、
前記制御手段は、前記ワイドアタッチメントレンズの着脱前の前記変倍レンズの駆動範囲に対する前記検出手段の検出結果から得られる前記変倍レンズの位置の比率が前記ワイドアタッチメントレンズの着脱後の前記変倍レンズの駆動範囲に対する前記変倍レンズの位置の比率と同じになるように、前記駆動手段を介して前記変倍レンズの位置を制御することを特徴とする請求項６に記載の撮像装置。
【請求項８】
前記操作部材の位置を検出する位置検出手段と、
前記変倍レンズを駆動する駆動手段と、
を更に有し、
前記制御手段は、前記操作部材の操作範囲に対する前記位置検出手段の検出結果から得られる前記操作部材の位置の比率で、前記変倍レンズの駆動範囲を内分した位置に、前記駆動手段を介して前記変倍レンズを移動するように制御することを特徴とする請求項６に記載の撮像装置。
【請求項９】
前記操作部材は、リング部材であって、
前記リング部材の位置を検出するリング位置検出手段と、
前記変倍レンズを駆動する駆動手段と、
を更に有し、
前記制御手段は、前記変倍レンズの初期位置を設定する際、前記リング部材の操作が有効である場合には、前記リング位置検出手段により検出された前記リング部材の位置に基づいて、前記駆動手段を介して前記変倍レンズを移動させ、前記リング部材の操作が無効である場合には、記憶されたバックアップ位置へ前記駆動手段を介して前記変倍レンズを移動させることを特徴とする請求項６に記載の撮像装置。
【請求項１０】
前記変倍レンズの位置を検出する検出手段と、
前記変倍レンズを駆動する駆動手段と、
を更に有し、
前記制御手段は、前記変倍レンズの初期位置を設定する際、前記検出手段から得られる前記変倍レンズの現在の位置が合焦状態を維持できる望遠端側の位置よりも望遠端側にある場合、前記変倍レンズの合焦状態を維持できる望遠端側の位置に前記駆動手段を介して前記変倍レンズを移動するように制御することを特徴とする請求項６に記載の撮像装置。
【請求項１１】
変倍用の変倍レンズと、焦点調節機能と変倍による焦点面の移動を補正する機能を備えたフォーカスレンズと、を有し、前記変倍レンズの拡大率を変更するワイドアタッチメントレンズが着脱可能な光学系と、前記変倍レンズを駆動するために操作される操作部材と、を有する撮像レンズの制御方法であって、
前記ワイドアタッチメントレンズが前記光学系に装着されているか否かを表す信号を取得するステップと、
前記ワイドアタッチメントレンズが装着されている場合には、前記フォーカスレンズが合焦状態を維持できるように、前記ワイドアタッチメントレンズが装着されていない場合よりも駆動可能範囲が小さくなるようにするとともに、前記ワイドアタッチメントレンズが装着されている場合のほうが前記ワイドアタッチメントレンズが装着されていない場合よりも前記操作部材における一定の操作量あたりの前記変倍レンズの移動量が小さくなるようにすることで前記操作部材の位置に対応する前記変倍レンズの位置を異ならせるステップと、
を有することを特徴とする制御方法。
【請求項１２】
変倍用の変倍レンズと、合焦状態を調節するフォーカスレンズと、を有し、前記変倍レンズの拡大率を変更するワイドアタッチメントレンズが着脱可能な光学系と、前記変倍レンズの駆動を指示するために操作される操作部材と、を有する撮像装置の制御方法であって、
前記ワイドアタッチメントレンズが前記光学系に装着されているか否かを検知する検知ステップと、
前記ワイドアタッチメントレンズが装着されている場合と、前記ワイドアタッチメントレンズが装着されていない場合とで、前記操作部材の位置に対応する前記変倍レンズの位置を異ならせるように制御する制御ステップと、
を備え、
前記制御ステップでは、前記検知ステップによる検知の結果、前記ワイドアタッチメントレンズが装着されている場合には、前記フォーカスレンズが合焦状態を維持できるように、前記ワイドアタッチメントレンズが装着されていない場合よりも前記変倍レンズの駆動可能範囲を小さくするとともに、前記操作部材における一定の操作量あたりの前記変倍レンズの移動量を小さくすることで前記操作部材の位置に対応する前記変倍レンズの位置を異ならせるように制御することを特徴とする制御方法。
【発明の詳細な説明】
【技術分野】
【０００１】
本発明は、撮像レンズ、撮像装置、及び撮像装置の制御方法に関する。
【背景技術】
【０００２】
特許文献１は、変倍リングとズームキーを用いて変倍レンズを駆動することが可能で、変倍リングの位置と変倍レンズの位置の対応関係を維持する撮像装置を開示している。特許文献２は、変倍レンズを含む光学系に着脱可能で光学系の焦点距離と拡大率を変更する（例えば、より画角の広い画像を得るための）ワイドアタッチメントレンズ（以下、「ＷＡレンズ」と称する）を有する撮像装置を開示している。
【先行技術文献】
【特許文献】
【０００３】
【特許文献１】特開２００４−２３３８９２号公報
【特許文献２】特開平０７−２８１０７２号公報
【発明の概要】
【発明が解決しようとする課題】
【０００４】
しかし、両公報を組み合わせた撮像装置を考えると、変倍レンズの位置に対してフォーカスレンズが合焦状態を維持する位置を示すカム曲線はＷＡレンズを装着した時と取り外した時で異なる。そして、ＷＡレンズを装着した場合にフォーカスレンズで調節可能な合焦範囲はＷＡレンズを装着しない場合にフォーカスレンズで調節可能な合焦範囲よりも狭くなる。
【０００５】
具体的には、変倍リングの回転可能な範囲を０°〜θ°、変倍レンズの最大移動距離をＬ、ＷＡレンズの装着時に合焦可能な変倍レンズの最大移動距離をＬｗ（Ｌ＞Ｌｗ）とすると、合焦可能な変倍リングの角度範囲は０°〜（θ×Ｌｗ／Ｌ）°となる。そのため、望遠側の（θ×Ｌｗ／Ｌ）°〜θ°の範囲では、変倍リングを操作しているにも拘らず変倍レンズが駆動できないか合焦を維持できなくなり、良好な撮影状態を提供できなくなる。
【０００６】
本発明は、ワイドアタッチメントが着脱可能な光学系を用いて良好な撮影状態を提供することを例示的な目的とする。
【課題を解決するための手段】
【０００７】
本発明の撮像レンズは、変倍用の変倍レンズと、合焦状態を調節するフォーカスレンズと、を有し、前記変倍レンズの拡大率を変更するワイドアタッチメントレンズが着脱可能な光学系と、前記変倍レンズの駆動を指示するために操作される操作部材と、前記ワイドアタッチメントレンズが前記光学系に装着されているか否かを検知する検知手段と、前記検知手段の検知結果、前記ワイドアタッチメントレンズが装着されている場合と、前記ワイドアタッチメントレンズが装着されていない場合とで、前記操作部材の位置に対応する前記変倍レンズの位置を異ならせるように制御する制御手段と、を備え、前記制御手段は、前記ワイドアタッチメントレンズが装着されている場合には、前記フォーカスレンズが合焦状態を維持できるように、前記ワイドアタッチメントレンズが装着されていない場合よりも前記変倍レンズの駆動可能範囲が小さくなるようにするとともに、前記操作部材における一定の操作量あたりの前記変倍レンズの移動量が、前記ワイドアタッチメントレンズが装着されている場合のほうが前記ワイドアタッチメントレンズが装着されていない場合よりも小さくなるようにすることで前記操作部材の位置に対応する前記変倍レンズの位置を異ならせることを特徴とする。
【発明の効果】
【０００８】
本発明によれば、ワイドアタッチメントレンズを装着可能な光学系を用いて良好な撮影状態を提供することができる。
【図面の簡単な説明】
【０００９】
【図１】図１は、本実施例の撮像装置のブロック図である。
【図２】図２は、図１に示すマイクロコンピュータによる撮像装置の制御方法を説明するためのフローチャートである。
【図３】図３は、図１に示すマイクロコンピュータによる別の撮像装置の制御方法を説明するためのフローチャートである。
【発明を実施するための形態】
【００１０】
図１は、本実施例の撮像装置のブロック図である。撮像装置は、本実施例では、撮影レンズが一体型であるがカメラ本体と撮像レンズは着脱可能であってもよい。この場合、後述する変倍レンズ１０２、フォーカスレンズ１０５、リング部材１１７、ワイドアタッチメントレンズ（ＷＡレンズ）１１９は撮像レンズに設けられ、後述するズームキー１１６はカメラ本体側に設けられる。そして、後述するマイクロコンピュータ１１４で生成された制御信号は、撮影レンズを制御する撮影レンズ内のレンズコンピュータに通信され、レンズコンピュータを介してリング部材やズームキーの操作に従った変倍レンズの駆動を制御する。また、本発明は、ビデオカメラやデジタルスチルカメラなど各種撮像装置に適用できる。
【００１１】
図１において、１０１は第１固定レンズ群、１０２は変倍用のバリエータレンズ群（以下、「変倍レンズ（ズームレンズ）」と称す）、１０３は絞りである。１０４は第２固定レンズ群、１０５は焦点調節用のレンズ、より具体的には、焦点調節機能と変倍による焦点面の移動を補正（ズームトラッキング）するいわゆるコンペ機能を兼ね備えたレンズ群（以下、「フォーカスレンズ」と称す）である。
【００１２】
変倍レンズ１０２、フォーカスレンズ１０５はそれぞれズーム駆動手段１１０、フォーカス駆動手段１１１により光軸方向(図の左右方向)に移動可能に構成されている。駆動手段としてはステッピングモータや、直動式のボイスコイルモータなどを用いることができる。
【００１３】
変倍レンズ１０２とフォーカスレンズ１０５の位置は、それぞれズーム検出手段１１２、フォーカス検出手段１１３により検出される。駆動手段がステッピングモータの場合は、検出手段としては基準リセット位置からの入力パルスカウントであってもよい。このときには基準位置検出のための位置センサーとして、例えばフォトインタラプタを用い、移動レンズ枠に一体的に設けた遮光壁により遮光される境界位置を基準位置として検出する。この他、位置センサーとして移動レンズ枠に一体的に設けたマグネットスケールの磁界変化を磁気抵抗（ＭＲ）素子などで検出する方式を用いることもできる。
【００１４】
被写体からの入射光はレンズ群１０１〜１０５からなる光学系を通って撮像素子１０６上に結像する。撮像素子１０６はＣＣＤやＣＭＯＳなどの光電変換素子であり、被写体像を電気信号に変換する。電気信号はＣＤＳ／ＡＧＣ回路１０７により読み出し及び増幅され、カメラ信号処理回路１０８に入力される。
【００１５】
カメラ信号処理回路１０８は画像処理を行い、入力信号を記録装置１０９、モニタ装置１１５に対応した信号に変換する。記録装置１０９は被写体像を記録媒体(磁気テープ、光学ディスク、半導体メモリなど)に記録する。モニタ装置１１５は電子ビューファインダーや液晶パネルなどの表示部に被写体像を表示する。
【００１６】
マイクロコンピュータ（ＭＣ）１１４は撮像装置全体の制御を行い、カメラ信号処理回路１０８や記録装置１０９等を制御する制御手段（プロセッサ）である。ＭＣ１１４は、不図示のメモリを有し、後述するように図２や図３に示す方法やそれに使用されるパラメータを格納している。
【００１７】
また、ズーム検出手段１１２が検出した変倍レンズ１０２の位置やフォーカス検出手段１１３が検出したフォーカスレンズ１０５の位置の情報もＭＣ１１４に入力されてこれらのレンズを駆動する制御に用いられる。更に、レンズ駆動制御の処理結果に応じてＭＣ１１４はズーム駆動手段１１０、フォーカス駆動手段１１１を制御し、レンズの制御を行う。また、ＭＣ１１４は後述するポテンショメータ１１８の出力に応じて変倍レンズ１０２の駆動を制御する。
【００１８】
ズームキー１１６は、パワーズームにおいて操作される操作部材である。ズームキー１１６には、ボリュームキー、スイッチ等が用いられ、その出力はＭＣ１１４に入力される。ボリュームキーの場合はキーの押し圧に応じた速度でズームが駆動されるようにＭＣ１１４によって制御され、スイッチの場合はオンされると所定速度でズームが駆動されるように制御される。
【００１９】
リング部材１１７は、マニュアルズームにおいて撮影者が操作して変倍レンズ１０２の移動を指示する操作部材であり、本実施例では撮像装置の光学系の固定鏡筒（不図示）上に回転可能に設けられている。リング部材１１７は、ＭＣ１１４によって駆動制御される不図示の駆動手段によって駆動され、この駆動手段はステップモータやＤＣモータから構成される。なお、本実施例では操作部材としてリング部材を採用したが、例えば回転可能でない操作スイッチであってもかまわない。
【００２０】
本実施例のリング部材１１７は、回転中心が上述の光学系の光学中心（光軸）と一致するように設けられた絶対値型の電子リングであり、撮影者による操作量は電気信号に変換される。
【００２１】
なお、本実施例では、変倍レンズ１０２の位置は望遠側(テレ側)に行くほど大きくなり、ＭＣ１１４は、リング部材１１７の角度が大きくなる方向に回転操作されると変倍レンズ１０２をテレ側に移動させるように制御する。
【００２２】
リング部材１１７は、焦点距離（ズーム位置）が最も長焦点距離となるテレ端（望遠端）側ではテレ端ストッパーと、最も短焦点距離となるワイド端（広角端）側ではワイド端ストッパーとの機械的当接により回転操作範囲が物理的に制限される。リング部材１１７の回転操作可能な角度は、例えば、６０°〜９０°である。
【００２３】
また、リング部材１１７には、印刷または刻印などにより焦点距離目盛が設けられ、リング部材１１７を回転自在に支持する固定鏡筒（図示省略）には指標が設けられている。指標に一致した焦点距離目盛の数字から、撮影者は現在の光学系の焦点距離を読み取ることができる。
【００２４】
１１８はリング部材１１７の位置（回転角度）を検出するための、位置検出信号を出力する多回転タイプのポテンショメータである。ポテンショメータ１１８は、リング部材１１７に設けられたインナーギアからギア列を介して連動駆動させ、リング部材１１７の位置に対応した（位置を検出するための）信号を出力する。
【００２５】
ポテンショメータ１１８の出力はＭＣ１１４に備えられているＡ／Ｄ変換入力部に接続される。ワイド端ストッパー位置とテレ端ストッパー位置でのそれぞれのポテンショメータ１１８の出力値を予め測定して、それぞれＰｗ、ＰｔとしてＭＣ１１４内の不図示のメモリに格納している。
【００２６】
ここで、リング部材１１７の現在の位置Ｐ、変倍レンズ１０２の最大可能距離（ストローク）Ｌ、ポテンショメータ１１８に対応する変倍レンズ１０２の位置Ｚ、ワイド側のストッパー位置Ｐｗ、テレ側のストッパー位置Ｐｔの間には次式が成立する。ＭＣ１１４は、数式１とＬを予め不図示のメモリに格納している。
【００２７】
【数１】
0005590903.tif 000002
【００２８】
マニュアルズームにおいて撮影者がリング部材１１７を回転すると、リング部材１１７の位置をポテンショメータ１１８が検出し、検出結果をＭＣ１１４に伝達する。ＭＣ１１４は、ポテンショメータ１１８の検出結果とズーム検出手段１１２の検出結果を用いて変倍レンズ１０２がリング部材１１７によって指示された新たな焦点距離を形成する位置に移動するようにズーム駆動手段１１０を駆動する。
【００２９】
また、ＭＣ１１４は、ズームトラッキングのために、不図示のメモリに格納されたカム軌跡情報とフォーカス検出手段１１３からの情報とを用いてフォーカスレンズ１０５が合焦状態を維持できる位置に移動するようにフォーカス駆動手段１１１を駆動する。これにより、光学系がリング部材１１７の位置に対応したズーム位置に設定される。
【００３０】
一方、パワーズームにおいて撮影者がズームキー１１６を操作すると、ＭＣ１１４はズームキー１１６の操作に応じてズーム駆動手段１１０を駆動する。ズーム駆動手段１１０によって駆動される場合のリング部材１１７の位置もポテンショメータ１１８によって検出される。その後、上述したようにズームトラッキングが行われる。
【００３１】
このように、リング部材１１７とズームキー１１６のいずれを操作しても変倍（ズーム）を行うことができる。リング部材１１７とズームキー１１６のいずれを有効にするかの切り替えは切替手段１２１が操作されることによってＭＣ１１４が行う。リング部材１１７による操作を有効にするには、リング部材１１７の有効／無効切替手段や、ズーム／フォーカス切替手段を使用すればよい。
【００３２】
１１９は、レンズ群の焦点距離、および拡大率を変更するための脱着可能なワイドアタッチメントレンズ（ＷＡレンズ）である。ＷＡレンズ１１９が装着されているか否かを判定はワイドアタッチ検知手段１２０により検出される。
【００３３】
ワイドアタッチ検知手段１２０は、ＷＡレンズ１１９の装着時にスイッチ部材がオンになるように構成され、その出力（検知結果）をＭＣ１１４で読み取ることで実現できる。また、モニタ手段に重ねて表示させるキャラジェネレータによるメニュー画面から図示されない操作部材によりユーザーが設定することで実現してもよい。
【００３４】
図２は、カメラ起動時の初期位置を設定する際のＭＣ１１４による撮像装置の制御方法を説明するためのフローチャートである。これはカメラのスイッチがオフの状態で、リング部材１１７を回転した場合にリング部材１１７の位置と変倍レンズ１０２の位置との整合がとれるようにするための処理である。図２において、Ｓは「Ｓｔｅｐ（ステップ）」の略である。
【００３５】
まず、ＭＣ１１４は、ＷＡレンズ１１９が装着されているかをワイドアタッチ検知手段１２０の出力により判断する（Ｓ１０１）。
【００３６】
ＭＣ１１４は、ＷＡレンズ１１９が装着されていると判断した場合には（Ｓ１０１のＹｅｓ）、変倍レンズ１０２のテレ端の位置Ｔｗをテレ端位置Ｔに、変倍レンズ１０２の最大移動距離（駆動ストローク）ＬｗをＬに設定する（Ｓ１０２）。ここで、本実施例では、ＴｗとＬｗはＷＡレンズ１１９が装着された場合にフォーカスレンズ１０５が合焦状態を維持できる従来技術で述べたリング部材の望遠側の最大角度（θ×Ｌｗ／Ｌ）°に対応する位置である。但し、合焦状態を維持できればよいので、本発明はＴｗとＬｗがそれよりも多少小さい値をとることも許容する。
【００３７】
一方、ＭＣ１１４は、ＷＡレンズ１１９が装着されていないと判断した場合には（Ｓ１０１のＮｏ）、通常の変倍レンズ１０２のテレ側の位置Ｔｎをテレ端位置Ｔに、通常の変倍レンズ１０２の最大移動距離（駆動ストローク）ＬｎをＬに設定する（Ｓ１０８）。ここで、ＴｎとＬｎは従来技術で述べたリング部材の望遠側の最大角度θ°に対応する位置である。Ｔｗ＜Ｔｎであり、Ｌｗ＜Ｌｎである。
【００３８】
Ｓ１０２とＳ１０８によって、ＭＣ１１４は、ＷＡレンズ１１９を装着していない場合の変倍レンズ１０２の駆動範囲と駆動ストロークを、ＷＡレンズ１１９を装着している場合の変倍レンズ１０２の駆動範囲と駆動ストロークよりも小さく設定している。これにより、フォーカスレンズ１０５により合焦範囲が維持できる範囲に設定している。そして、ＭＣ１１４は、ＷＡレンズ１１９を装着している場合のリング部材１１７のストロークの割り振りを変更する。つまり、リング部材１１７における一定の操作量あたりの変倍レンズ１０２の移動量が、ＷＡレンズ１１９が装着されている場合のほうが装着されていない場合よりも小さくなるように設定される。
【００３９】
Ｓ１０２又はＳ１０８の後で、ＭＣ１１４は、リング部材１１７の操作が有効であるかどうかを判断する（Ｓ１０３）。
【００４０】
ＭＣ１１４は、リング部材１１７の操作が有効であると判断すると（Ｓ１０３のＹｅｓ）、ポテンショメータ１１８の出力を取得し（Ｓ１０４）、リング部材１１７の現在の位置Ｐと数式１から変倍レンズ１０２の位置Ｚを計算してＺ０とする（Ｓ１０５）。次に、ＭＣ１１４は、Ｚ０を駆動目標位置に設定し（Ｓ１０６）、駆動目標位置に変倍レンズ１０２を駆動させる（Ｓ１０７）。
【００４１】
一方、ＭＣ１１４は、リング部材１１７の操作が無効であると判断すると（Ｓ１０３のＮｏ）、前回にカメラをオフにしたときの変倍レンズ１０２の位置（バックアップ位置）Ｚ０を取得し（Ｓ１０９）、それを駆動目標位置に設定する（Ｓ１１０）。ＭＣ１１４は、前回にカメラをオフにしたときの位置を不図示のメモリに格納している。
【００４２】
図３は、ＭＣ１１４による別の撮像装置の制御方法を説明するためのフローチャートである。図３において、Ｓは「Ｓｔｅｐ（ステップ）」の略であり、図２と同一のステップには同一の参照符号を付している。
【００４３】
まず、図１と同様のＳ１０１、Ｓ１０２、Ｓ１０８を行う。これによって、ＭＣ１１４は、ＷＡレンズ１１９を装着していない場合の変倍レンズ１０２の駆動範囲と駆動ストロークを、ＷＡレンズ１１９を装着している場合の変倍レンズ１０２の駆動範囲と駆動ストロークよりも小さく設定する。つまり、フォーカスレンズ１０５により合焦範囲が維持できる範囲に設定する。そして、ＭＣ１１４は、ＷＡレンズ１１９を装着している場合のリング部材１１７のストロークの割り振りを変更している。つまり、リング部材１１７における一定の操作量あたりの変倍レンズ１０２の移動量が、ＷＡレンズ１１９が装着されている場合のほうが装着されていない場合よりも小さくなるように設定される。このように、ＭＣ１１４は、ＷＡレンズ１１９が装着されるモードと装着されないモードの切り替えを行っている。
【００４４】
Ｓ１０２又はＳ１０８の後で、ＭＣ１１４は、現在のズーム位置Ｚｎをズーム検出手段１１２により取得する（Ｓ１１１）。
【００４５】
次に、ＭＣ１１４はリング部材１１７の操作が有効であると判断すると（Ｓ１０３のＹｅｓ）、Ｓ１０４とＳ１０５を行う。その後、ポテンショメータ１１８に対応する変倍レンズ１０２の位置Ｚとズーム検出手段１１２により取得された現在の変倍レンズ１０２の位置Ｚｎが一致するかどうかを判断する（Ｓ１１２）。
【００４６】
次に、ＭＣ１１４は、ＺとＺｎが一致しないと判断すると（Ｓ１１２のＹｅｓ）、変倍レンズ１０２の駆動目標位置をＺに設定し（Ｓ１１３）、Ｓ１０７を行う。一方、ＭＣ１１４は、ＺｎがＺに一致すると判断すると（Ｓ１１２のＮｏ）変倍レンズ１０２は駆動目標位置にあるため、変倍レンズ１０２の駆動を停止する。
【００４７】
一方、ＭＣ１１４はリング部材１１７の操作が無効であると判断すると（Ｓ１０３のＮｏ）、Ｓ１１１で取得したＺｎがテレ端位置Ｔより大きい（テレ側にある）かどうかを判断する（Ｓ１１４）。ＭＣ１１４はＺｎ＞Ｔであると判断すると（Ｓ１１４のＹｅｓ）、変倍レンズ１０２の駆動目標位置をＴに設定し（Ｓ１１５）、Ｓ１０７を行う。これによって、変倍レンズ１０２の合焦範囲を越えた望遠端側の移動を防止することができる。
【００４８】
一方、ＭＣ１１４はＺｎ≦Ｔであると判断すると（Ｓ１１４のＮｏ）、ズームキー１１６の入力を待機するために変倍レンズ１０２の駆動を停止する（Ｓ１１６）。
【００４９】
本実施例によれば、ＷＡレンズ１１９を光学系に装着した場合にリング部材１１７を用いたズーム操作やマニュアルフォーカス操作などにおいて良好な撮影状態を提供することができる。詳細には、機械的なカム機構のレンズに近い操作感を実現しつつ、レンズの絶対位置とリング角度との対応関係がずれることによる誤動作を防止することができる。
【００５０】
また、本実施例では、ＷＡレンズ１１９を装着している状態から取り外した状態（装着していない状態）に移行する場合、あるいは、この逆に移行する場合、ＷＡレンズ１１９の着脱の前後で（状態移行の前後で）撮影者の操作感を維持することが好ましい。
【００５１】
このため、ＭＣ１１４は、ＷＡレンズ１１９を装着している状態の変倍レンズ１０２の駆動ストロークＬｗに対する変倍レンズ１０２の現在の位置Ｚｎの比率であるＺｎ／Ｌｗを演算する。また、ＭＣ１１４は、ＷＡレンズ１１９を装着していない状態の変倍レンズ１０２の駆動ストロークＬｎに対する変倍レンズ１０２の現在の位置Ｚｎの比率であるＺｎ／Ｌｗを演算する。そして、ＭＣ１１４は、ＷＡレンズ１１９の着脱前（状態移行前）の比率を維持するようにＷＡレンズ１１９の着脱後（状態移行後）の変倍レンズ１０２の位置をズーム駆動手段１１０を介して制御する。
【００５２】
更に、本実施例では、ＭＣ１１４は、ポテンショメータ１１８の検出結果から得られるリング部材１１７の現在の位置Ｐの操作範囲に対する比率を計算する。そして、ＭＣ１１４は、リング部材１１７の操作が無効から有効に切り替わった場合、その比率で変倍レンズ１０２の駆動ストロークＬを内分する位置に変倍レンズ１０２を移動するようにズーム駆動手段１１０を介して制御する。一方、ＭＣ１１４は、リング部材１１７の操作が有効から無効に切り替わった場合には変倍レンズ１０２を駆動しない。これによって、撮影者の操作性を向上することができる。
【００５３】
図２及び図３に示すフローチャートは、プロセッサ（コンピュータ）によって実行されるプログラムとして具現化可能である。
【産業上の利用可能性】
【００５４】
撮像装置は、被写体の撮像に適用することができる。
【符号の説明】
【００５５】
１０２          変倍レンズ
１０５          フォーカスレンズ
１１０          ズーム駆動手段
１１２          ズーム検出手段
１１３          フォーカス検出手段
１１５          マイクロコンピュータ
１１７          リング部材
１１８          ポテンショメータ
１１９          ワイドアタッチメントレンズ
１２０          ワイドアタッチ検知手段
１２１          切替手段
【図２】
0005590903.tif 000003
【図３】
0005590903.tif 000004
【図１】
0005590903.tif 000005